(57)【要約】  一対の防漏フラップの間に尿等の排泄物が溜まることを防止して、排泄物が漏れることを防止することができる使い捨て着用物品を提供する。使い捨ておむつ（１０）は、互いに直交する縦方向Ｙ及び横方向Ｘを有し、肌対向面及び非肌対向面と、前ウエスト域（１３）と、後ウエスト域（１４）と、前記前後ウエスト域（１３，１４）間に位置するクロッチ域（１５）と、前後ウエスト域（１３，１４）を画定し、前後ウエストパネル（１８，１９）から形成される弾性ウエストパネル（１１）と、弾性ウエストパネル（１１）に連結されてクロッチ域（１５）を画定し、一対の脚回りシール域（２０）及び吸液性構造体（４９）を備えるクロッチパネル（１２）とを含む。吸液性構造体（４９）は、透液性の上下部のシート（６０，６１）の間に介在する吸液性ポリマー粒子（６３）を含む吸液性材料層（６２）を有するとともに、横方向Ｘの中央に位置する中央域（４１）と、横方向Ｘの両側に位置する両側域（４２）とを有し、中央域（４１）と両側域（４２）との間に位置する仮想折曲線（２１）で両側域（４２）が中央域（４１）に向うように折り曲げられて両側域（４２）が脚回りシール域（２０）の一部として形成され、吸収領域（６４）は、中央域（４１）から仮想折曲線（２１）を超えて両側域（４２）まで横方向Ｘへ延びる。
2013094726.tif 000002
【特許請求の範囲】
【請求項１】
縦中心線に沿う縦方向及びこれに直交する横方向を有し、肌対向面及び非肌対向面と、前ウエスト域と、後ウエスト域と、前記前後ウエスト域間に位置するクロッチ域と、前記前後ウエスト域を画定し、前後ウエストパネルから形成される弾性ウエストパネルと、前記弾性ウエストパネルに連結されて前記クロッチ域を画定し、ベースシートと身体側ライナとの間に介在する吸液性構造体及び一対の脚回りシール域を備えるクロッチパネルとを含む使い捨て着用物品であって、
前記クロッチパネルは、前後端部とクロッチパネルの両側縁から縦中心線の側へ一定距離だけ離れた仮想折曲線によって画成されて横方向における第１の中央域及び第１の両側域を有し、
前記吸液性構造体は、シート状に形成され、透液性の上部シートと、下部シートと、前記上下部シートの間に介在する。少なくとも吸液性ポリマー粒子を含有する吸液性材料層とを含み、前記第１の中央域上に位置する第２の中央域、前記第１の両側域上に位置する第２の両側域及び前記第２の中央域から前記第２の両側域へ延びる少なくとも１つの吸収領域を有し、
前記クロッチパネルの前記第１の両側域は、少なくとも前記前後端部において、前記ベースシートの両側部、前記身体側ライナの両側部及び前記吸液性構造体の前記第２の両側域とともに、前記仮想折曲線から前記縦中心線の側へ折曲されることで両脚回りシール域が形成され、前記前後ウエストパネルに連結され、
前記両脚回りシール域は、その収縮によって前記身体側ライナから着用者の大腿の側へ離間することを特徴とする前記着用物品。
【請求項２】
前記両脚回りシール域は、前記ベースシートの両側縁に沿って伸長下に収縮可能に取り付けられた弾性体によって弾性化されている請求項１記載の着用物品。
【請求項３】
前記両脚回りシール域の側縁において、前記ベースシート、前記吸液性構造体及び前記身体側ライナの各側縁が互いに一致している請求項１又は２記載の着用物品。
【請求項４】
前記吸収領域は、前記仮想折曲線上では前記吸液性ポリマー粒子の密度が横方向において隣接する部位の密度よりも低い請求項１〜３のいずれかに記載の着用物品。
【請求項５】
前記両側部における前記吸液性ポリマー粒子の密度は、前記中央部における前記吸液性ポリマー粒子の密度よりも高い請求項１〜４のいずれかに記載の着用物品。
【請求項６】
前記縦方向における前記クロッチパネルの前後端部を前記前後ウエストパネルの非肌対向面側に取り付けてある請求項１〜５のいずれかに記載の着用物品。
【請求項７】
前記吸収領域と、前記吸収領域の間をシールするシール領域とが前記縦方向へ交互に配置される請求項１〜６のいずれかに記載の着用物品。
【発明の詳細な説明】
【技術分野】
【０００１】
本発明は、使い捨て着用物品に関し、より詳しくは、使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、一対の防漏フラップを備える使い捨て着用物品は公知である。例えば、特許文献１には、脚周りからの体液漏れを防止するために脚周りフラップにおける表面上に疎水性不織布シートを貼付し、その不織布シートの内側自由縁部に弾性伸縮部材を取り付けておむつ内面から起立させることにより防漏フラップを形成した使い捨て着用物品が開示されている。【０００３】
また、特許文献１には、２枚のシートの間に吸収性ポリマー粒子を介在させることも開示されている。
【先行技術文献】
【特許文献】
【０００４】
【特許文献１】特開平８−２８９９０２号公報
【発明の概要】
【発明が解決しようとする課題】
【０００５】
ところで、近年、縦方向において、吸収性ポリマー粒子が存在する吸収域と、前記吸収性ポリマー粒子をシールするシール領域とを交互に配置した吸収性物品が知られている。このような吸収性物品の吸収域及びシール領域を、特許文献１に開示されているおむつの吸液性コアに適用した場合には、吸収域が狭くなるため、一対の防漏フラップの間に尿等の排泄物が溜まり、その排泄物が脚周りから漏れるおそれがある。【０００６】
そこで、本発明は、一対の防漏フラップの間に尿等の排泄物が溜ることを防止して、排泄物が漏れることを防止することができる使い捨て着用物品を提供することを課題とする。
【課題を解決するための手段】
【０００７】
本発明は、仮想縦中心線に沿う縦方向及びこれに直交する横方向を有し、肌対向面及び非肌対向面と、前ウエスト域と、後ウエスト域と、前記前後ウエスト域間に位置するクロッチ域と、前記前後ウエスト域を画定し、前後ウエストパネルから形成される弾性ウエストパネルと、前記弾性ウエストパネルに連結されて前記クロッチ域を画定し、ベースシートと身体側ライナとの間に介在する吸液性構造体及び一対の脚回りシール域を備えるクロッチパネルとを含む使い捨て着用物品にある。【０００８】
前記クロッチパネルは、前後端部、クロッチパネルの両側縁から仮想縦中心線の側へ一定距離だけ離れた仮想折曲線によって画成されて前記横方向における第１の中央域及び第１の両側域を有し、
前記吸液性構造体は、シート状に形成され、透液性の上部シートと、下部シートと、前記上下部シートの間に介在する。少なくとも吸液性ポリマー粒子を含有する吸液性材料層とを含み、前記第１の中央域上に位置する第２の中央域、前記第１の両側域上に位置する第２の両側域及び前記第２の中央域から前記第２の両側域へ延びる少なくとも１つの吸収領域を有し、
前記クロッチパネルの前記第１の両側域は、少なくとも前記前後端部において、前記ベースシートの両側部、前記身体側ライナの両側部及び前記吸液性構造体の前記第２の両側域とともに、前記仮想折曲線から前記仮想縦中心線の側へ折曲されることで画定される前記両脚回りシール域を有していて、前記前後ウエストパネルに連結され、
前記両脚回りシール域は、その収縮によって前記身体側ライナから着用者の大腿の側へ離間することを特徴とする。
【発明の効果】
【０００９】
本発明に係る一つ以上の実施態様における使い捨て着用物品によれば、吸収領域が中央域から両側域／脚回りシール域まで横方向に延びるため、一対の脚回りシール域の間において、排泄物を吸収することができる面積を大きくすることができる。したがって、一対の脚回りシール域の間に尿等の排泄物が溜ることを減少して、排泄物が漏れることを抑制することができる。
【図面の簡単な説明】
【００１０】
【図１】本発明の使い捨て着用物品の一例として示す、使い捨ておむつの斜視図。
【図２】サイドシーム部を剥離して縦方向及び横方向に伸展した状態のおむつを肌対向面から視た一部破断展開平面図。
【図３】おむつの分解斜視図。
【図４】図１のＩＶ−ＩＶ線断面図。
【図５】図２のＶ−Ｖ線断面図。
【図６】一部を破断した吸液性構造体の底面から視た斜視図。
【図７】図６のＶＩＩ−ＶＩＩ線断面図。
【図８】クロッチパネルの横方向における断面図、かつ、クロッチパネルを仮想折曲線で折り曲げる前の状態を示す展開図。
【図９】クロッチパネルの横方向における断面図、かつクロッチパネルの着用状態を示す説明図。
【図１０】吸液性構造体の変形例の説明図。
【発明を実施するための形態】
【００１１】
図１〜５を参照しつつ、本発明の使い捨て着用物品の一例である使い捨ておむつ１０を説明する。おむつ１０は、図２に示すように、縦方向Ｙ及びそれに直交する横方向Ｘと、横方向Ｘの幅寸法を二等分する仮想縦中心線Ｐ−Ｐと、縦方向Ｙの幅寸法を二等分する仮想横中心線Ｑ−Ｑとを有する。おむつ１０は、仮想縦中心線Ｐ−Ｐに関して対称に形成されている。
【００１２】
おむつ１０は、肌対向面及びそれに対向する非肌対向面を有し、ウエスト回り方向へ延びる環状の弾性ウエストパネル１１と、弾性ウエストパネル１１の非肌対向面に取り付けられたクロッチパネル１２と、弾性ウエストパネル１１によって画定される前ウエスト域１３と、後ウエスト域１４と、前後ウエスト域１３，１４間を縦方向Ｙへ延びるクロッチ域１５とを含む。弾性ウエストパネル１１は、前ウエスト域１３に位置する前ウエストパネル１８と、後ウエスト域１４に位置する後ウエストパネル１９とを含む。
【００１３】
前ウエストパネル１８は、その前端部において、クロッチパネル１２と交差し、横方向Ｘへ延びる内端縁１８ａと、縦方向Ｙにおいて内端縁１８ａと離間対向して横方向Ｘへ延びる外端縁１８ｂと、内外端縁１８ａ，１８ｂ間において縦方向Ｙへ延びる両側縁１８ｃ，１８ｄとによって画定された横長矩形状を有する。
【００１４】
後ウエストパネル１９は、前ウエストパネル１８とほぼ同形同大であって、その後端部において、クロッチパネル１２と交差し、横方向Ｘへ延びる内端縁１９ａと、縦方向Ｙにおいて内端縁１９ａと離間対向して横方向Ｘへ延びる外端縁１９ｂと、内外端縁１９ａ，１９ｂ間において縦方向Ｙへ延びる両側縁１９ｃ，１９ｄとによって画定された横長矩形状を有する。
【００１５】
前ウエストパネル１８の両側縁１８ｃ，１８ｄのそれぞれと後ウエストパネル１９の両側縁１９ｃ，１９ｄのそれぞれとは、互いに重ね合わされて、縦方向Ｙへ断続的に延びるサイドシーム部２２によって連結され、ウエスト開口２３ａ及び一対のレッグ開口２３ｂとが画定されている（図１参照）。サイドシーム部２２は、公知の接合手段、例えば、熱エンボス／デボス加工、ソニック加工等の各種の熱溶着手段によって施されている。
【００１６】
前ウエストパネル１８は、図２に示すように、肌対向面側に位置する第１内面シート２４と、非肌対向面側に位置する第１外面シート２５を有する。第１内外面シート２４，２５は、質量約１０〜３０ｇ／ｍ２の実質的に不透液性のＳＭＳ（スパンボンド・メルトブローン・スパンボンド）繊維不織布、スパンボンド不織布、プラスチックシート又はそれら不織布の少なくとも一つとのラミネートシートとから形成することができる。内外面シート２４，２５は、少なくともいずれか一方の内面に間欠的に縦方向Ｙ及び／又は横方向Ｘに互いに離間して塗布されたホットメルト接着剤又は前記熱溶着によって互いに接合される。
【００１７】
前ウエストパネル１８の内外面シート２４，２５間には、横方向Ｘへ延びる、ほぼ等しい線径を有する複数条の糸状、ストランド状又はストリング状の弾性体２７が固定される。前ウエストパネル１８は、弾性体２７が横方向Ｘへの所要倍率での伸長下にホットメルト接着剤を介して固定されることによって少なくとも横方向Ｘへ収縮可能に弾性化されている。内外面シート２４，２５は、内外面シート２４，２５の接合状態がおむつ１０の着用中に剥離するおそれがない限りにおいて、弾性体２７の周面にその長さ方向に一定間隔をおいて、好ましくはほぼ全周面に塗布したホットメルト接着剤を介してのみ互いに接合されていてもよい。弾性体２７は、前ウエストパネル１８の外端縁１８ｂに沿って横方向Ｘへ延びる複数条の弾性体２８と、内端縁１８ａに沿って横方向Ｘへ延びる複数条の弾性体２９とから構成される。弾性体２９は、弾性体２８に比して弾性体２８に隣接する弾性体２９の一部が密の状態で配設されている。弾性体２８の伸長倍率は、必要に応じて弾性体２９のそれよりも高くされていてもよい。
【００１８】
後ウエストパネル１９は、肌対向面側に位置する第２内面シート３０と、非肌対向面側に位置する第２外面シート３１を含む。第２内外面シート３０，３１は、質量約１０〜３０ｇ／ｍ２の実質的に不透液性のＳＭＳ（スパンボンド・メルトブローン・スパンボンド）繊維不織布、スパンボンド繊維不織布、プラスチックシート又はそれらの不織布の少なくとも一つとのラミネートシートとから形成することができる。内外面シート３０，３１は、少なくともいずれか一方の内面に縦方向及び／又は横方向Ｘに互いに離間して塗布されたホットメルト接着剤又は前記熱溶着手段よって互いに接合される。
【００１９】
第２内外面シート３０，３１間には、横方向Ｘへ延びるほぼ等しい繊径で複数条の糸状、ストランド状又はストリング状の弾性体３２が横方向Ｘへ所要倍率での伸長下にホットメルト接着剤を介して固定されている。後ウエストパネル１９は、後ウエスト弾性体３２が固定されることによって少なくとも横方向Ｘに収縮可能に弾性化されている。内外面シート３０，３１は、弾性体３２の周面に縦方向及び／又は横方向Ｘに一定間隔をおいて、好ましくは、ほぼ全周面に塗布したホットメルト接着剤を介してのみ互いに接合されてもよい。弾性体３２は、後ウエストパネル１９の外端縁１９ｂに沿って横方向Ｘへ延びる複数条の弾性体３３と、内端縁１９ａに沿って横方向Ｘへ延びる複数条の弾性体３４とから構成される。弾性体３４は、弾性体３３に比してその一部が密の状態で配設されている。
【００２０】
弾性体２７，３２の固定のためのホットメルト接着剤は、エラストマーを含有し、かつ弾性体２７，３２にスパイラル状に塗布することができる。この場合には、弾性体２７，３２の良好な収縮性が確保される。
【００２１】
弾性体２７，３２は、線径が約４００〜１０００ｄｔｅｘ、弾性材料を約１．８〜３．０倍の伸長倍率で伸長して前後ウエストパネル１８，１９にそれぞれ固定することができる。また、各弾性体間の縦方向Ｙにおける離間寸法（ピッチ。弾性体の中心部間の距離）は、約５．０〜３０．０ｍｍであって、好ましくは６．０〜１５ｍｍであることが好ましい。
【００２２】
クロッチパネル１２は、縦長の略矩形状であって、前ウエストパネル１８の非肌対向面（外面）に連結された前端部１２Ａと、後ウエストパネル１９の非肌対向面に連結された後端部１２Ｂと、前後端部１２Ａ，１２Ｂ間において縦方向Ｙへ延びる中間部１２Ｃとを有する。また、クロッチパネル１２は、図４，５に示すように、ベースシート４８と、ベースシート４８の肌対向面に固定的に配置された吸液性構造体４９と、吸液性構造体４９を被覆する透液性の身体側ライナ５０とを有する。ベースシート４８、吸液性構造体４９及び身体側ライナ５０は、それらの横方向Ｘにおける長さが等しく、それらの側縁が一致している。クロッチパネル１２の前後端部１２Ａ，１２Ｂは、図２に示すように、繊維不織布から形成された横方向Ｘへ延びる、前後ウエストパネル１８，１９の縦方向Ｙにおける長さよりも小さい縦方向Ｙにおける長さの非弾性の前後補強カバーシート８０，８１によって、前後ウエストパネル１８，１９の横方向Ｘへの伸長下に、被覆されている。前後補強カバーシート８０，８１は、吸液性構造体４９の前後端部を間接的に被覆する縦方向Ｙにおける長さを有していてもよい。その長さを前後補強カバーシート８０，８１が有していると、吸液性構造体４９の比較的剛性な吸収体の前後端部が外方へ突出するのを抑制することができる。クロッチパネル１２は、図２，５に示すように、横方向Ｘの中央に位置する中央域１６と、横方向Ｘの両側に位置する両側域１７とを有する。中央域１６と両側域１７とは、クロッチパネル１２の外側縁１２ａから仮想縦中心線Ｐ−Ｐの側へ一定距離だけ、好ましくは横方向Ｘにおける中央域１６の長さの１／４〜１／２の長さだけ離れて位置する仮想折曲線２１によってそれぞれ固定されている。両側域１７は、仮想折曲線２１から仮想縦中心線Ｐ−Ｐの側へ折曲されることで画定される両脚回りシール域２０を有する。なお、仮想折曲線２１は、おむつ１０の製造時でのクロッチパネル１２の前後端部１２Ａ，１２Ｂにおける両側域１７を折曲するための仮想目標である。おむつの着用状態では、前後端部１２Ａ，１２Ｂ間に位置する仮想折曲線２１に沿って、両脚回りシール域２０は折曲されることなく、中央域１６と協働して外方へ湾曲する。
【００２３】
ベースシート４８と吸液性構造体４９とは、図４に示すように、それらの対向面に塗布されたホットメルト接着剤（図示せず）で設けられた接合域９０を介して互いに接合されている。具体的には、吸液性構造体４９は、前後ウエスト域１３，１４に位置する接合部９１，９２においてベースシート４８の内面に固定され、おむつ１０の着用中において、前後ウエスト域１３，１４の間がベースシート４８の内面から離間して吊持された状態となっている。
【００２４】
図２，４，５を参照すると、ベースシート４８は、繊維不織布のラミネートで少なくとも一方が実質的に不透液性であり、又は繊維不織布と不透液性かつ通気性のプラスチックフィルムのラミネートから形成された内外面クロッチシート５１，５２によって形成される。内外面クロッチシート５１，５２は、それらの少なくとも一方に縦方向Ｙ及び／又は横方向Ｘに間隔をおいて塗布されたホットメルト接着剤（図示せず）を介して互いに接合されている。
【００２５】
ベースシート４８の両側域４８ｂ（両脚回りシール域２０）には、これらに縦方向Ｙへ延びる複数条の糸状、ストランド状又はストリング状の弾性体５４，５５が伸長下に収縮可能に固定されており、少なくとも縦方向Ｙにおいて弾性化されている。弾性体５４は、図２に示すように、クロッチ域１５の中央部において仮想縦中心線Ｐ−Ｐへ向かって凸曲し、おむつ１０の着用状態における着用者の脚回り方向へ延びている一方、弾性体５５は脚回りシール域２０の内側縁２０ａに沿って縦方向Ｙへ直状に延びている。弾性体５４，５５は、内外面クロッチシート５１，５２の少なくとも一方の内面に好ましくは縦方向Ｙへ連続的に塗布されたホットメルト接着剤（図示せず）を介して両シート５１，５２間に縦方向Ｙに伸長された状態で収縮可能に固定される。
【００２６】
弾性体５４は、そのほぼ中央部が、仮想縦中心線Ｐ−Ｐに向かって凸曲していて、他方の弾性体５５と近接し、互いに近接する弾性体５４，５５による弾性域、すなわち、クロッチ域１５のほぼ中央部に位置するベースシートの両側部における弾性域の伸長応力が、弾性体５４，５５どうしの離間間隔が大きいクロッチ域１５の前後端部に位置するベースシート４８の前後端部における弾性域の伸長応力に比して高められる。したがって、前者の弾性域における着用者の大腿に対する単位面積当たりの接触圧が後者の弾性域におけるそれよりも高められる。それにより、着用者の大腿に接触すべき脚回りシール域２０の中央部近傍が大腿に密着し、レッグ開口２３ｂ縁部からの尿等の排泄物の漏れを効果的に防止することができる。
【００２７】
身体側ライナ５０は、その材料が疎水性繊維である場合、好ましくは親水化処理された、質量約１５〜３５ｇ／ｍ２の透液性を有する繊維不織布シートであって、例えば、スパンボンド繊維不織布、ポイントボンド繊維不織布及びエアスルー不織布等各種公知の繊維不織布から形成することができる。
【００２８】
吸液性構造体４９は、比較的厚さが小さくてシート状形態を有し、図６，７に示すように、ともに繊維不織布である上部シート６０と、下部シート６１と、上下部シート６０，６１間に介在した吸液性材料層６２とを含む。ただし吸液性材料層６２は、その厚さを誇張して図示されている。吸液性材料層６２の「層」とは、吸液性材料層６２が縦方向Ｙ及び／又は横方向Ｘへ必ずしも連続することを意味しない。したがって、個々の粒子６３や、複数が集まり又は結合した粒子６３が分散している状態をも含む。上部シート６０は、肌対向面側に位置する質量約８〜１５ｇ／ｍ２、好ましくは、質量約１０ｇ／ｍ２の透液性の繊維不織布から形成してある。下部シート６１は、非肌対向面側に位置する質量約８〜１５ｇ／ｍ２、好ましくは、質量約１１ｇ／ｍ２の透液性又は難透液性のＳＭＳ繊維不織布から形成してある。吸液性材料層６２は、例えば、不水溶性かつ自己質量の１０倍以上の吸水性能を有するいわゆる分離する（discrete）吸液性ポリマー粒子６３のみを含有し、フラッフ木材パルプ等の他の親水性繊維を有していない。ただし、吸液性材料層６２に所要の吸収性及び嵩を保ち得る限り、小質量の木材パルプ等の親水性繊維を含んでもよいが、吸収性ポリマー粒子６３は吸液性材料層６２の少なくとも約７０質量％を含むことが好ましい。２枚のシート６０，６１は、これに替えて、連続する１枚の繊維不織布を折り畳んで吸液性材料層６２を包むものであってもよい。
【００２９】
吸液性構造体４９は、吸液性材料層６２を形成する吸液性ポリマー粒子６３が存在し、縦方向Ｙへ所与寸法離間する横長の略矩形状に画定された吸収領域６４と、吸液性ポリマー粒子６３が実質的に存在していないシール領域６５とを有する。シール領域６５では、上部シート６０とが接合して、吸収領域６４を連続的に囲む。なお、本実施形態において、吸収領域６４は、８つの区域に区分されているが、吸液性構造体４９に与える吸収性能に応じてその面積、区域数を適宜変更することができる。ここで、吸液性ポリマー粒子６３が実質的に存在していないとは、シール機能が阻害されない程度の該粒子６３が存在してもよいことを意味する。ちなみに、該粒子６３の散布工程において上述で説明した程度の該粒子６３がシール領域６５に散布されることがある。
【００３０】
吸液性構造体４９は、図５〜７に示すように、中央域４１と、両側域４２とを有する。中央域４１及び両側域４２は、クロッチパネル１２の中央域１６及び両側域１７と、横方向Ｘとにおける長さにおいて一致する。ちなみに、既述の両脚回りシール域２０は、さらに詳述すると、吸液性構造体４９の両側域４２と、ベースシート４８の両側域４８ｂと、該両側域に位置する弾性体５４，５５と、身体側ライナ５０が互いに一体的に合体して形成されている。
【００３１】
吸液性構造体４９の吸収領域６４は、中央域４１から仮想折曲線２１を超えて両側域４２まで横方向Ｘへ延びている。吸収領域６４では、図７に示すように、下部シート６１の内面に塗布されたホットメルト接着剤６６を介して質量約３０〜３００ｇ／ｍ２、好ましくは、吸液性材料としての、質量約４０〜２８０ｇ／ｍ２の吸液性ポリマー粒子６３がほぼ一様に固定されている。吸収領域６４では、上部シート６０と下部シート６１とが部分的に互いに固定されているか又はそれらが互いに固定されていなくてもよい。なお、ホットメルト接着剤６６を用いるとき、下部シート６１の内面にホットメルト接着剤６６を塗布することもなく、上部シート６０の内面に接着剤６６を塗布してもよいし、上下部シート６０，６１の両方に接着剤６６をそれぞれ塗布してもよい。
【００３２】
シール領域６５、すなわち、吸液性構造体４９の外周域及び吸収領域６４間の離間域においては、上部シート６０の内面に連続的に塗布されたホットメルト接着剤６７を介して上下部シート６０，６１が互いに接合されている。なお、上部シート６０の内面にホットメルト接着剤６７を塗布することもなく、下部シート６１の内面に接着剤６７を塗布してもよいし、上下部シート６０，６１の両方に接着剤６７をそれぞれ塗布してもよい。
【００３３】
このように吸液性構造体４９は、吸液性ポリマー粒子６３を少なくとも約７０質量％を含有する吸液性材料層６２及びそれを包むシート６０，６１から形成されているため、吸液性材料層６２が吸液性ポリマー粒子６３の他に比較的多量のフラッフパルプ等の親水性繊を含有する場合に比して薄くて高可塑性を有し、クロッチパネル１２の動きに対する応動性に優れている。また、上下部シート６０，６１がシール領域６５において安定的に固定されていることによって所要の剥離強度を有するとともに、上下部シート６０，６１の内面全体が固定されている場合に比して高い可撓性を有するものといえる。さらに、吸収領域６４において吸液性ポリマー粒子６３が一様に固定されているから、着用者の動作及び姿勢にかかわらず、その分布に偏りを生じることはない。
【００３４】
図８は、クロッチパネル１２を仮想折曲線２１で折り曲げる前の伸展状態を断面図で示す。このクロッチパネル１２では、ベースシート４８と吸液性構造体４９とは、ホットメルト接着剤４７によって両側域４８ｂのみ固定してある。ただし、ベースシート４８と吸液性構造体４９とは、必要に応じて、中央域４８ａの一部で固定してもよい。
【００３５】
図９は、おむつ１０の着用状態におけるクロッチパネル１２を示す。脚回りシール域２０の一方の内側縁２０ａから他方の内側縁２０ｂまでの長さ寸法（排泄物収容スペースＳの外周囲の長さ寸法）Ｌ２は、約３８０〜４５０ｍｍであることが好ましい。脚回りシール域２０は、おむつ１０の着用状態において、着用者の大腿に当たり、クロッチパネル１２は弾性ウエストパネル１１に吊持された形態を呈することが可能である。かかる着用状態において、排泄物がクロッチパネル１２に排泄された場合には、自己質量によってクロッチパネル１２がその前後端部を除いて着用者の臀部から離れ、着用者と吸液性構造体４９との間に排泄物を保持するための、排泄物収容スペースＳが画定される。よって、このおむつ１０は、比較的に多量の排泄物を保持することができるとともに、着用者の臀部から離れた状態でクロッチパネル１２がハンモック状に吊持され、排泄物によって着用者の臀部が汚れるのを抑えることができる。
【００３６】
また、吸液性構造体４９は、吸液性材料層６２が吸液性ポリマー粒子６３のみ含有している場合には、吸液性ポリマー粒子６３の他に比較的多量のフラッフパルプ等の親水性繊維とから形成されている吸液性材料層６２に比べて薄いため、吸液性構造体４９は、その肌対向面側のみならず非肌対向面側からも尿等の排泄物を吸収することができ、かつ、シート状で比較的に可撓性が高いため、着用者の身体の動きに応動し易く、その着用状態において、クロッチパネル１２内において吊持された状態となる。また、吸液性構造体４９は、比較的に可撓性が高いことから、ベースシート４８の動きに応動し、すなわち、弾性体５４，５５の伸長下に脚回りシール域２０とともに湾曲し、排泄前においてよりクロッチパネル１２が全体的に外方へ膨らんだ形態を呈することができる。
【００３７】
再び、図２，４を参照すると、クロッチパネル１２は、その両側域１７が折曲されて両脚回りシール域２０が形成された状態において、前端部１２Ａ及び後端部１２Ｂの肌対向面にホットメルト接着剤を塗布して形成された前接合域７２と後接合域７３とにおいて前後ウエストパネル１８，１９の非肌対向面に連結される。このように、クロッチパネル１２の前後端部１２Ａ，１２Ｂを前後ウエストパネル１８，１９の非肌対向面に連結することによって、それらを前後ウエストパネル１８，１９の肌対向面に連結する場合に比して、排泄物収容スペースＳを大きく形成することができる（図９参照）。なお、排泄物収容スペースＳが所要の大きさを有する限りにおいて、前後ウエスト域１３，１４のうちのいずれか一方のみが前後ウエストパネル１８，１９の外面に連結してあればよい。
【００３８】
図３に示すように、クロッチパネル１２は、折曲された脚回りシール域２０の外面に塗布されたホットメルト接着剤で画定された前後接合域７２，７３を有し、これらは、クロッチ域１５へ向かって開口した凹状パターンを有し、ホットメルト接着剤を塗布して形成された両側接合部７４と、両側接合部７４間において、横方向Ｘへ延びる中央接合部７５とを有する。中央接合部７５は、吸液性構造体４９よりも縦方向Ｙの外方に位置する。なお、本実施形態において、前接合域７２の両側接合部７４は段差状、後接合域７３の両側接合部７４は矩形状を有しているが、それらの形状に制限されるものではなく、前後接合域７２，７３の両側接合部７４は、段差状、矩形状、曲状などの各種の形状を有していてもよい。
【００３９】
このおむつ１０によれば、吸液性構造体４９の吸収領域６４が中央域４１から仮想折曲線２１を超えて両側域４２（両脚回りシール域２０）まで横方向Ｘへ延びるため両脚回りシール域２０の間において、両脚回りシール域２０においても尿等の排泄物を吸収することができる。よって排泄物を吸収することができる面積を大きくすることができるため、両脚回りシール域２０の間に排泄物が溜まることを少なくして、排泄物が漏れることを抑制することができる。
【００４０】
図１０は、図６に示した吸液性構造体４９の変形例としての吸液性構造体１４９を示す。この変形例の基本的構成は、図６に示した吸液性構造体４９と同様であるので、同一の箇所には同一の符号を付して説明を省略し、相違する点についてのみ以下に説明する。
この吸液性構造体１４９では、仮想折曲線２１上では吸液性ポリマー粒子６３が殆ど存在していない。換言すれば、仮想折曲線２１上では吸液性ポリマー粒子６３の密度が横方向Ｘにおいて隣接する部位の密度よりきわめて低い。
このおむつ１０によれば、仮想折曲線２１上では吸液性ポリマー粒子６３の密度が横方向Ｘにおいて隣接する部位の密度よりきわめて低いため、仮想折曲線２１で折り曲げることが容易である。
仮想折曲線２１上に沿って縦方向Ｙに延びるシール領域を形成してもよい。このようにシール領域を形成すれば、シール領域が起点となって、両脚回りシール域２０を着用者の肌に向けて容易に起き上がらせることができる。
このおむつ１０の吸液性構造体１４９では、両側域４２における吸液性ポリマー粒子６３の密度が、中央域４１における吸液性ポリマー粒子６３の密度よりも高い。
【００４１】
このおむつ１０によれば、吸液性構造体１４９の両側域４２における吸液性ポリマー粒子６３の密度が、中央域４１における吸液性ポリマー粒子６３の密度よりも高いため、尿等の排泄物が排泄された初期には、脚回りシール域２０においても排泄物を吸収することができ、所要の排泄物を吸収した後には両側域４２においてゲルブロックが発生しやすい。よって脚回りシール域２０において、ゲルブロックを発生しやすくして、脚回りシール域２０の外部に排泄物が漏れることを防止することができる。
【００４２】
おむつ１０を構成する各構成部材には、本明細書に記載されている材料のほかに、この種の物品において通常用いられている各種の公知の材料を制限なく用いることができる。
【００４３】
以上に記載した本発明に関する開示は、少なくとも下記事項に要約することができる。
本発明に係る使い捨て着用物品１０は、縦中心線Ｐ−Ｐに沿う縦方向Ｙ及び横方向Ｘを有し、肌対向面及び非肌対向面と、前ウエスト域１３と、後ウエスト域１４と、前記前後ウエスト域１３，１４間に位置するクロッチ域１５と、前後ウエスト域１３，１４を画定し、前後ウエストパネル１８，１９から形成される弾性ウエストパネル１１と、弾性ウエストパネル１１に連結されてクロッチ域１５を画定し、ベースシート４８と透液性の身体側ライナ５０との間に介在する吸液性構造体４９及びその両側に位置する一対の脚回りシール域２０を備えるクロッチパネル１２とを含む。
【００４４】
本発明において、前記クロッチパネル１２は、前後端部１２Ａ，１２Ｂとクロッチパネル１２の両側縁１２ａから縦中心線Ｐ−Ｐの側へ一定距離だけ離れた仮想折曲線２１によって画成されて横方向Ｘにおける第１の中央域１６及び第１の両側域１７を有する。前記吸液性構造体４９は、シート状に形成され、透液性の上部シート６０と、下部シート６１と、前記上下部シート６０，６１の間に介在する、少なくとも吸液性ポリマー粒子６３を含有する吸液性材料層６２とを含み、前記第１の中央域１６上に位置する第２の中央域４１、前記第１の両側域１７上に位置する第２の両側域４２及び前記第２の中央域４１から前記第２の両側域４２へ延びる少なくとも１つの吸収領域６４を有する。前記クロッチパネル１２の前記第１の両側域１７は、少なくとも前記前後端部１２Ａ，１２Ｂにおいて、前記ベースシート４８の両側部、前記身体側ライナ５０の両側部及び前記吸液性構造体４９の前記第２の両側域４２とともに、前記仮想折曲線２１から前記縦中心線Ｐ−Ｐの側へ折曲されることで両脚回りシール域２０が形成され、前記前後ウエストパネル１３，１４に連結される。前記両脚回りシール域２０は、その収縮によって前記身体側ライナ５０から着用者の大腿の側へ離間することを特徴とする。
【００４５】
本発明は、少なくとも下記の実施の形態を含むことができる。
（１）前記両脚回りシール域２０は、前記ベースシート４８の両側縁に沿って伸長下に収縮可能に取り付けられた弾性体によって弾性化されている。
（２）前記両脚回りシール域２０の側縁において、前記ベースシート４８、前記吸液性構造体４９及び前記身体側ライナ５０の各側縁が互いに一致している。
（３）吸収領域６４は、仮想折曲線２１上では吸液性ポリマー粒子６３の密度が横方向Ｘにおいて隣接する部位の密度よりも低い。
（４）前記第２の両側域４２における吸液性ポリマー粒子６３の密度は、前記第２の中央域４１における吸液性ポリマー粒子６３の密度よりも高い。
（５）縦方向Ｙにおけるクロッチパネル１２の前後端部１２Ａ，１２Ｂは、前後ウエストパネル１８，１９の非肌対向面側に取り付けられている。
（６）複数の前記吸収領域６４が、前記吸収領域６４の各間の域とこれら一群の吸収領域の外周域とにおいて、前記上下部シート６０，６１もシール領域６５においてシールされている。
【符号の説明】
【００４６】
１０    使い捨て着用物品（使い捨ておむつ）
１１    弾性ウエストパネル
１２    クロッチパネル
１２Ａ  前端部
１２Ｂ  後端部
１３    前ウエスト域
１４    後ウエスト域
１５    クロッチ域
１８    前ウエストパネル
１９    後ウエストパネル
２０    脚回りシール域
２１    仮想折曲線
４１    中央域
４２    両側域
６０    上部シート（上部繊維不織布）
６１    下部シート（下部繊維不織布）
６２    吸液性材料層
６３    吸液性ポリマー粒子
６４    吸収領域
６５    シール領域
Ｘ      横方向
Ｙ      縦方向
【図１】
2013094726.tif 000003
【図２】
2013094726.tif 000004
【図３】
2013094726.tif 000005
【図４】
2013094726.tif 000006
【図５】
2013094726.tif 000007
【図６】
2013094726.tif 000008
【図７】
2013094726.tif 000009
【図８】
2013094726.tif 000010
【図９】
2013094726.tif 000011
【図１０】
2013094726.tif 000012
【国際調査報告】
2013094726.tif 000013
2013094726.tif 000014
2013094726.tif 000015
2013094726.tif 000016